(57)【要約】本発明はタブレット、ＰＤＰ、電子ブック、ＰＭＰ、ネットブックなどの携帯用電子製品を片手で楽に持って簡便に視聴しながら操作することができるとともに、一般の本スタンドのようにテーブル用としても使用可能な携帯用電子製品ホルダーに関する。本発明の一実施例による携帯用電子製品ホルダーは、電子製品の後面に位置する長方形状の本体部材（１０）と、本体部材の上端部に結合され、電子製品の上部面に密着される上端支持部材（２０）と、本体部材（１０）の下端部に結合され、電子製品の下部面に密着される下端支持部材（３０）と、本体部材（１０）の後面に締結される取っ手部材（４０）と、本体部材（１０）の下部両側面に締結されて本体部材の後方で下端に回動される支持部材（５０）とを含むことを特徴とする。【選択図】図３
2013522756.tif 000002
【特許請求の範囲】
【請求項１】
電子製品の後面に位置する長方形状の本体部材（１０）と、本体部材の上端部に結合され、電子製品の上部面に密着される上端支持部材（２０）と、本体部材（１０）の下端部に結合され、電子製品の下部面に密着される下端支持部材（３０）と、本体部材（１０）の後面に締結される取っ手部材（４０）とを含み、
上端支持部材（２０）は、一端が本体部材（１０）に一体に締結され、他端が電子製品の上部面で前方に延長された上端延長部（２１）と、電子製品の上端の前面へ突出されながら上端延長部に締結される上端密着部（２３）とからなり、
下端支持部材（３０）は、一端が本体部材（１０）に一体に締結され、他端が電子製品の下部面で前方に延長された下端延長部（３１）と、電子製品の下端の前面へ突出されながら下端延長部に締結される下端密着部（３３）とからなり、
上端密着部（２３）及び下端密着部（３３）はゴム材質の密着性のあるパッドで、電子製品の上、下部面に密着され、中央に貫通孔（２４、３４）が形成されており、前面一側に電子製品の前面に固定部（２５、３５）が突出して形成され、上、下端延長部の内側面には上、下端密着部の貫通孔（２４、３４）に挿入されて固定する固定突起（２２、３２）が形成されることを特徴とする携帯用電子製品ホルダー。
【請求項２】
取っ手部材（４０）は前面板（４１）と後面バンド（４２）とで構成し、前面板（４１）の中央部が回動中心ピン（４３）を通じて本体部材（１０）に回動されるように設置されることを特徴とする請求項１に記載の携帯用電子製品ホルダー。
【請求項３】
電子製品の後面に位置する長方形状の本体部材（１０）と、本体部材の上端部に結合され、電子製品の上部面に密着される上端支持部材（２０）と、本体部材（１０）の下端部に結合され、電子製品の下部面に密着される下端支持部材（３０）と、本体部材（１０）の後面に締結される取っ手部材（４０）とを含み、
本体部材（１０）の上部は内側へ上端開口部が形成され、上端支持部材（２０）の下部は本体部材（１０）の開口部に挿入され、上端支持部材（２０）の下部はスプリング（１２）で本体部材（１０）と連結されて上下方向に移動可能に締結されることを特徴とする携帯用電子製品ホルダー。
【請求項４】
本体部材（１０）の下部は内側へ下部開口部が形成され、下端支持部材（３０）の上部は本体部材（１０）の下部開口部に挿入され、下端支持部材（３０）の上部はスプリング（１４）で本体部材と連結されて上下方向に移動可能に締結されることを特徴とする請求項３に記載の携帯用電子製品ホルダー。
【請求項５】
開口された本体部材の内側には締結溝が形成され、本体部材に挿入される支持部材の外側面に締結突起が形成されることを特徴とする請求項２または３に記載の携帯用電子製品ホルダー。
【請求項６】
上端支持部材及び下端支持部材と上端密着部及び下端密着部の前方で、内側へ上下を貫通する負傷防止孔が形成されることを特徴とする請求項２または３に記載の携帯用電子製品ホルダー。
【請求項７】
電子製品の後面に位置する長方形状の本体部材（１０）と、本体部材の上端部に結合され、電子製品の上部面に密着される上端支持部材（２０）と、本体部材（１０）の下端部に結合され、電子製品の下部面に密着される下端支持部材（３０）と、本体部材（１０）の後面に締結される取っ手部材（４０）とを含み、
上端支持部材（２０）は、一端が本体部材（１０）に一体に締結され、他端が電子製品の上部面で前方に延長され、端部が開口された上端延長部（２１）と、前面に電子製品の上端面に係止される突起が形成され、後面が上端延長部の開口部に挿入される上端固定部（２８）とを備え、下端支持部材（３０）は、一端が本体部材（１０）に一体に締結され、他端が電子製品の下部面で前方に延長され、端部が開口された下端延長部（３１）と、前面に電子製品の下端面に係止される突起が形成され、後面が下端延長部の開口部に挿入される下端固定部（３８）とを備えることを特徴とする携帯用電子製品ホルダー。
【請求項８】
電子製品の後面に位置する長方形状の本体部材（１０）と、本体部材の上端部に結合され、電子製品の上部面に密着される上端支持部材（２０）と、本体部材（１０）の下端部に結合され、電子製品の下部面に密着される下端支持部材（３０）と、本体部材（１０）の後面に締結される取っ手部材（４０）とを含み、
本体部材（１０）の下部両側面に締結されて、本体部材の後方で下端に回動される支持部材（５０）をさらに含み、
支持部材（５０）は本体部材の後方で所定角度に回動されるように回動部材で固定されることを特徴とする携帯用電子製品ホルダー。
【請求項９】
回動部材は本体部材の両側面に位置し、中央に貫通孔が形成されながら外部に突出されて中空孔の内側面にストッパが形成された回動突起（５１）と、支持部材の両側面の内側に位置し、回動突起が挿入される回動孔（５３）と、支持部材の回動孔に挿入される弾性スプリング（５４）と、一端がストッパに対応される角度調節溝が形成され、他端が回動孔に挿入されて締結されながら、弾性スプリングに密着される結合部（５５）とで構成されることを特徴とする請求項８に記載の携帯用電子製品ホルダー。
【発明の詳細な説明】
【技術分野】
【０００１】
本発明はタブレット、ＰＤＰ、電子ブック、ＰＭＰ、ネットブックなどの携帯用電子製品を片手で楽に持って簡便に視聴することができる携帯用電子製品ホルダーに関する。
【０００２】
また、本発明は携帯用電子製品を手で持たなくても、底、テーブルなどに傾斜するように固定して楽に視聴することができる携帯用電子製品ホルダーに関する。
【背景技術】
【０００３】
一般に、タブレット、ＰＤＰ、電子ブック、ＰＭＰ、ネットブックなどの携帯用電子製品が続いて供給され、携帯用電子製品の種類及び大きさも多様になっている。
【０００４】
しかし、ある程度大きい携帯用電子製品を利用して映画を視聴したり、音楽を鑑賞するなどの多様なコンテンツを利用するためには両手で携帯用電子製品の側面を支持しなければならない。
【０００５】
特に、電車、バスなどで携帯用電子製品を利用する場合には、片手では取っ手などを取って本体を支持しなければならないため、もう一方の手だけでは電子製品を支持することが不便であるという問題がある。
【０００６】
これによって、本発明者は携帯用電子製品を片手で安定的に支持して容易に視聴するこができるように研究して本発明を完成した。
【発明の概要】
【発明が解決しようとする課題】
【０００７】
従って、本発明が解決しようとする課題は、タブレット、ＰＤＰ、電子ブック、ＰＭＰ、ネットブックなどの携帯用電子製品を片手で楽に持ち、もう一方の片手では自由にコンテンツを活用することができる携帯用電子製品ホルダーを提供することにある。
【０００８】
本発明の他の解決課題は、携帯用電子製品を手で持たなくても、平面などに傾斜するように固定して楽に視聴することができる携帯用電子製品ホルダーを提供することにある。
【課題を解決するための手段】
【０００９】
本発明の一実施例による携帯用電子製品ホルダーは、電子製品の後面に位置する長方形状の本体部材１０と、本体部材の上端部に結合され、電子製品の上部面に密着される上端支持部材２０と、本体部材１０の下端部に結合され、電子製品の下部面に密着される下端支持部材３０と、本体部材１０の後面に締結される取っ手部材４０とを含み、上端支持部材２０は一端が本体部材１０に一体に締結され、他端が電子製品の上部面で前方に延長された上端延長部２１と、電子製品の上端の前面へ突出されながら、上端延長部に締結される上端密着部２３とからなり、下端支持部材３０は一端が本体部材１０に一体に締結され、他端が電子製品の下部面で前方に延長された下端延長部３１と、電子製品の下端の前面へ突出されながら下端延長部に締結される下端密着部３３とからなり、上端密着部２３及び下端密着部３３はゴム材質の密着性のあるパッドで、電子製品の上、下部面に密着され、中央に貫通孔２４、３４が形成されており、前面一側に電子製品の前面に固定部２５、３５が突出して形成され、上、下端延長部の内側面には上、下端密着部の貫通孔２４、３４に挿入されて固定する固定突起２２、３２が形成されることを特徴とする。
【００１０】
好ましくは、取っ手部材４０は前面板４１と後面バンド４２とで構成し、前面板４１の中央部が回動中心ピン４３を通じて本体部材１０に回動されるように設置されることを特徴とする。
【００１１】
好ましくは、本体部材１０の下部両側面に締結されて、本体部材の後方で下端に回動される支持部材をさらに含むことを特徴とする。
【００１２】
好ましくは、支持部材５０は本体部材の後方で所定角度に回動されるように回動部材で固定され、回動部材は本体部材の両側面に位置し、中央に貫通孔が形成されながら外部に突出され、中空孔の内側面にストッパが形成された回動突起５１と、支持部材の両側面の内側に位置し、回動突起が挿入される回動孔５３と、支持部材の回動孔に挿入される弾性スプリング５４と、一端がストッパに対応される角度調節溝が形成され、他端が回動孔に挿入されて締結されながら弾性スプリングに密着される結合部５５とからなることを特徴とする。
【００１３】
好ましくは、上、下端支持部材と上、下端密着部は前方で内側へ上下を貫通する負傷防止孔が形成されることを特徴とする。
【００１４】
本発明の他の実施例による携帯用電子製品ホルダーは、本体部材の上部は内側へ上端開口部が形成され、上端支持部材の下部は本体部材の開口部に挿入され、上端支持部材の下部はスプリングで本体部材と連結されて上下方向に移動可能に締結され、本体部材の下部は内側に下部開口部が形成され、下端支持部材の上部は本体部材の下部開口部に挿入され、下端支持部材の上部はスプリングで本体部材と連結されて上下方向に移動可能に締結されることを特徴とする。
【００１５】
本発明の他の実施例による携帯用電子製品ホルダーは、上端支持部材は上端延長部の端部が開口され、前面に電子製品の上端面に係止される突起が形成され、後面が上端延長部の開口部に挿入される上端固定部を備え、下端支持部材は下端延長部の端部が開口され、前面に電子製品の下端面に係止される突起が形成され、後面が下端延長部の開口部に挿入される下端固定部を備えることを特徴とする。
【発明の効果】
【００１６】
本発明による携帯用電子製品ホルダーは、タブレット、ＰＤＰ、電子ブック、ＰＭＰ、ネットブックなどの携帯用電子製品を両手ではない片手だけでも楽に持って視聴することができ、他の片手では自由にコンテンツを操作することができるという長所がある。
【００１７】
また、本発明の携帯用電子製品ホルダーは、携帯用電子製品を手で持たなくても、机などの平面などに楽に視聴できる角度に傾くように固定することができるという長所がある。
【００１８】
また、本発明の携帯用電子製品ホルダーは、携帯用電子製品を固定した状態で、使用者の体の一部に支持することができて、長期間使っても楽な姿勢を保持することができるという長所がある。
【図面の簡単な説明】
【００１９】
【図１】本発明の第１実施例による携帯用電子製品ホルダーの分解斜視図である。
【図２】図１の携帯用電子製品ホルダーの斜視図である。
【図３】図１の切断面図である。
【図４】本発明の第２実施例による携帯用電子製品ホルダーの斜視図である。
【図５】本発明の第２実施例による携帯用電子製品ホルダーの切断面図である。
【図６】本発明の第３実施例による携帯用電子製品ホルダーの斜視図である。
【図７】本発明の第３実施例による携帯用電子製品ホルダーの切断面図である。
【図８】本発明の第４実施例による携帯用電子製品ホルダーの切断面図である。
【図９】本発明の第５実施例による携帯用電子製品ホルダーの切断面図である。
【図１０】本発明の第５実施例における回動部材の分解図である。
【図１１】本発明による携帯用電子製品ホルダーの使用状態図である。
【発明を実施するための形態】
【００２０】
以下、添付図面を参照して本発明の実施例を説明する。
【００２１】
図１〜図３に示したように、本発明の第１実施例による携帯用電子製品ホルダーは、電子製品の後面に位置する長方形状の本体部材１０と、本体部材の上端部に結合され、電子製品の上部面に密着される上端支持部材２０と、本体部材の下端部に結合され、電子製品の下部面に密着される下端支持部材３０と、本体部材の後面に締結される取っ手部材４０とを備える。
【００２２】
上端支持部材２０は、一端が本体部材１０に締結され、他端が電子製品の上部面で前方に延長された上端延長部２１と、電子製品の上端の前面へ突出されながら上端延長部２１に締結される上端密着部２３とからなる。
【００２３】
下端支持部材３０は、一端が本体部材１０に締結され、他端が電子製品の下部面で前方に延長された下端延長部３１と、電子製品の下端の前面へ突出されながら下端延長部に締結される下端密着部３３とからなる。
【００２４】
上端密着部２３と下端密着部３３とはゴムなどの密着性のあるパッドで、電子製品の上、下部面に密着されることができる。上端密着部２３及び下端密着部３３は中央に貫通孔２４、３４が形成され、前面一側に電子製品の前面へ固定部２５、３５が突出して形成され、上、下端延長部の内側面には上端密着部２３及び下端密着部３３に挿入して固定される固定突起２２、３２がそれぞれ形成される。
【００２５】
取っ手部材４０は前面板４１と後面バンド４２とで構成し、前面板４１の中央部が回動中心ピン４３を通じて本体部材１０に回動可能に設置される。特に、前面板４１の前面上端部または前面下端部に係止突起４４が形成され、本体１０の後面に回転溝１１が形成されて、係止突起４４が回転溝１１内に位置する。これによって、前面板４１を左右に移動させると、係止突起４４が回転溝１１内で回動されるので、使用者が本体部材１０に対して取っ手部材４０の回動角度を所定範囲内で自由に調節することができる。
【００２６】
また、取っ手部材の後面バンド４２は使用者の手の大きさによって前面板４１と後面バンド４２との間に形成される挿入空間を調節することができるようにベルクロ接合などで設置される。
【００２７】
図４及び図５に示すように、本発明の第２実施例による携帯用電子製品ホルダーは、上端支持部材２０が本体部材１０の上部側に挿入されて上下方向に移動可能に締結され、下端支持部材３０が本体部材１０と一体に締結されることができる。即ち、本体部材１０の上部は内側へ上部開口部が形成され、上端支持部材２０の下部が本体部材１０の上部開口部に挿入される。そして、上端支持部材２０の下部はスプリング１２で本体部材１０と締結されて、スプリングの復元力で上端支持部材２０が本体部材の方へ密着されるように引っ張られる。この時、上端延長部２１と上端密着部２３はスプリング１２の復元力で電子製品に密着される時、使用者の指の負傷を防止するために上下面を貫通する上端負傷防止孔２６が形成される。
【００２８】
開口された本体部材１０の内側には締結溝１３が形成され、本体部材１０に挿入される上端支持部材２０の外側面に締結突起２７が形成される。締結溝１３と締結突起２７によって上端支持部材２０がスプリング１２の弾力で急速に本体部材１０へ偏る現象を防止しながら、外部の衝撃によって上端支持部材２０が容易に開かれることを防止することができる。
【００２９】
図６及び図７に示すように、本発明の第３実施例による携帯用電子製品ホルダーは、上端支持部材２０と下端支持部材３０が両方とも本体部材１０の上部側と下部側に挿入されて上下方向に移動可能に締結されることができる。即ち、本体部材１０の上部と下部は内側へそれぞれ上、下部開口部が形成され、上端支持部材２０の下部及び下端支持部材３０の上部が本体部材１０の上、下部開口部にそれぞれ挿入され、上端支持部材２０の下部と下端支持部材３０の上部はスプリング１２、１４で本体部材１０と締結される。そして、上端延長部２１及び下端延長部３１と上端密着部２２及び下端密着部３３にも、図４のように、スプリング１２、１４の復元力で電子製品に密着される時、使用者の指の負傷を防止するために上下面を貫通する負傷防止孔２６、３６がそれぞれ形成される。
【００３０】
また、開口された本体部材１０の内側には締結溝１３、１５が形成され、本体部材１０に挿入される上端支持部材２０及び下端支持部材３０の外側面にそれぞれ締結突起２７、３７が形成される。
【００３１】
図８に示すように、本発明の第４実施例による携帯用電子製品ホルダーの上端支持部材２０は、上端延長部２１の端部に内側へ開口された前面開口部が形成され、また、後面が上端延長部２１の前面開口部に挿入され、前面に電子製品の上端面に係止される突起２９が形成された上端固定部２８を備える。また、下端支持部材３０は下端延長部３１の端部に内側へ開口された前面開口部が形成され、また、後面が下端延長部３１の前面開口部に挿入され、前面に電子製品の下端面に係止される突起３９が形成された下端固定部３８を備える。この時、上端延長部と下端延長部の内部には締結溝が形成され、上端固定部と下端固定部の外周面に締結突起が形成され、上端固定部２８と下端固定部３８の後面はスプリングで上端延長部２１と下端延長部３１に締結されることが好ましい。
【００３２】
図９及び図１０に示すように、本発明の第５実施例による携帯用電子製品ホルダーは、本体部材１０の下部両側面に締結されて、本体部材１０の後方で下端に回動される支持部材５０がさらに形成される。支持部材５０は本体部材１０の後方で所定角度に回動されるように回動部材で固定される。
【００３３】
好ましくは、回動部材は、本体部材１０に形成された回動突起５１と、支持部材５０に形成された回動孔５３と、回動孔に挿入される弾性スプリング５４と、回動突起と回動孔を結合させる結合部５５とからなる。回動突起５１は本体部材１０の両側面に位置しながら外部に突出され、中央に貫通孔が形成され、内側面にはストッパ５２が形成されており、回動孔５３は支持部材５０の両側面の内側に位置し、回動突起５１が挿入される。また、結合部５５は一端がストッパに対応される角度調節溝５６が形成され、他端が回動孔５３に挿入されて締結されながら弾性スプリング５４に密着される。
【００３４】
このような回動部材によって支持部材５０を本体部材１０の後方で約６０、４５、３０度などに回動した状態で、机などの地面に置いても本体部材１０が動かないので、使用者が手で支える必要がなくて楽に電子製品の画面を視聴することができる。
【００３５】
以下、本発明による携帯用電子製品ホルダーの使用状態を説明する。まず、電子製品の上端と下端の大きさに適する長さに上端密着部２３と下端密着部３３を調節した状態で、上端密着部２３及び下端密着部３３の貫通孔２４、３４に上端延長部２１及び下端延長部３１の固定突起２２、３２を挿入して締結する。
【００３６】
その次、電子製品の後面に本体部材１０を置いた状態で、上端支持部材２０と下端支持部材３０が電子製品の上端と下端に密着されるように位置させる。この時、電子製品の上下長さによって上端支持部材２０または下端支持部材３０を上下方向に移動させて調節する。そして、本体部材１０と上端支持部材２０及び下端支持部材３０と上端密着部２３及び下端密着部３３が一体に締結されて堅固に電子製品を固定するようになり、この状態で一方の手を取っ手部材４０に入れて手の平で本体部材１０を支えると電子製品の画面を楽に持って視聴することができる。  
【００３７】
このように、携帯用電子製品ホルダーが締結された状態で取っ手部材を利用して電子製品を視聴する場合には、体の構造上、取っ手部材４０を一方向に回転させるとより楽に電子製品を持つことができる。即ち、左手で電子製品を支える場合には、左手を取っ手部材に入れた状態で取っ手部材４０を反時計回り方向に若干回転させると楽に電子製品を支えることができ、右手で電子製品を支える場合には、右手を取っ手部材４０に入れた状態で取っ手部材４０を時計回り方向に若干回転させると楽に電子製品を支えることができる。
【００３８】
また、机などの平面に置いた状態で電子製品を視聴する場合には、支持部材５０を本体部材１０に対して６０度、４５度、３０度などに回転させた状態で底に置くと、支持部材で電子製品を安定的に支持して、使用者が手で支える必要がないので楽に電子製品を視聴することができる。
【００３９】
また、支持部材５０を本体部材１０の後方で約１８０度まで回動させると、電子製品を片手で持つ時に、支持部材５０の端部を使用者の腹部やその他の体の部位に支持して電子製品の荷重を分散させることができて、より安定的に電子製品を持つことができる。
【００４０】
以上のように、本発明は限定された実施例と図面によって説明されたが、本発明はこれによって限定されないで、本発明が属する技術分野において通常の知識を有する者によって本発明の技術思想と特許請求の範囲の均等な範囲内で多様な修正及び変形が可能であることは自明である。
【図１】
2013522756.tif 000003
【図２】
2013522756.tif 000004
【図３】
2013522756.tif 000005
【図４】
2013522756.tif 000006
【図５】
2013522756.tif 000007
【図６】
2013522756.tif 000008
【図７】
2013522756.tif 000009
【図８】
2013522756.tif 000010
【図９】
2013522756.tif 000011
【図１０】
2013522756.tif 000012
【図１１】
2013522756.tif 000013
【国際調査報告】
2013522756.tif 000014
2013522756.tif 000015
2013522756.tif 000016
2013522756.tif 000017